(57)【要約】【課題】庇部の脱落を抑制することができる庇部の取付構造を提供する。【解決手段】建物には、外壁部１５に対して屋外側に張り出すように庇部１８が設けられている。外壁部１５には、庇部１８と同じ高さ位置に外壁部１５の壁面に沿って取付プレート４１が設けられている。取付プレート４１には、庇部１８を取り付ける庇取付部４８が設けられている。外壁部１５には、取付プレート４１の上端部が挿入される溝状の上側隙間３８と、取付プレート４１の下端部が挿入される溝状の下側隙間３９とが設けられている。そして、取付プレート４１は、その上端部及び下端部をそれぞれ上側隙間３８及び下側隙間３９に挿入した状態で外壁部１５に固定されている。【選択図】      図４
2019002182.tif 000002
【特許請求の範囲】
【請求項１】
外壁部に対して屋外側に張り出すように設けられた庇部と、
その庇部と同じ高さ位置で前記外壁部の壁面に沿って設けられ、前記庇部を取り付ける取付部が設けられた取付プレートと、を備え、
前記外壁部には、前記取付プレートの上端部が挿入される溝状の挿入部が設けられ、
前記取付プレートは、その上端部が前記挿入部に挿入された状態で前記外壁部に固定されていることを特徴とする庇部の取付構造。
【請求項２】
前記外壁部には、前記挿入部としての上側挿入部に加え、前記取付プレートの下端部が挿入される溝状の下側挿入部が設けられ、
前記取付プレートは、その上端部が前記上側挿入部に挿入され、かつ、その下端部が前記下側挿入部に挿入された状態で前記外壁部に固定されていることを特徴とする請求項１に記載の庇部の取付構造。
【請求項３】
前記取付プレートは、前記外壁部の幅方向に所定の間隔で複数配置され、
それら各取付プレートの前記取付部にそれぞれ前記庇部が取り付けられており、
前記上側挿入部及び前記下側挿入部は前記外壁部の幅方向に延びる長尺状とされ、
前記各取付プレートはいずれも前記上側挿入部及び前記下側挿入部に挿入された状態で前記外壁部に固定されていることを特徴とする請求項２に記載の庇部の取付構造。
【請求項４】
前記外壁部は、外壁面材と、その外壁面材の裏面側に設けられた下地フレームとを有しており、
前記外壁面材として、前記庇部と同じ高さ位置に配置された第１外壁面材を有しており、
前記第１外壁面材の上側には、前記下地フレームに取り付けられた状態で壁上部材が設けられ、
前記壁上部材は、前記第１外壁面材の屋外側面と対向する対向部を有しており、
前記壁上部材の前記対向部と前記第１外壁面材との間には前記挿入部としての上側挿入部が形成され、
前記取付プレートは、その上端部が前記上側挿入部に挿入された状態で前記第１外壁面材の屋外側面に重ねられて設けられ、かつ、固定具が前記取付プレート及び前記第１外壁面材を介して前記下地フレームに打ち込まれることで又はねじ込まれることで当該下地フレームに固定されていることを特徴とする請求項１乃至３のいずれか一項に記載の庇部の取付構造。
【請求項５】
前記外壁部は、外壁面材として、前記第１外壁面材の上側に隣接して設けられる第２外壁面材を有しており、前記第１外壁面材と前記第２外壁面材との間には壁間隙間が形成されており、
前記壁上部材は、前記外壁部の幅方向に延びる鋼材により形成され、前記対向部から前記壁間隙間を通じて前記第２外壁面材の裏面側まで延びる部分を有していることを特徴とする請求項４に記載の庇部の取付構造。
【請求項６】
前記壁上部材は、前記第２外壁面材の裏面に配置され、当該第２外壁面材が固定される壁下地部を有することを特徴とする請求項５に記載の庇部の取付構造。
【請求項７】
前記壁上部材は、前記外壁部の幅方向に延びる壁上フレーム材であり、
前記第１外壁面材の下側には、前記外壁部の幅方向に延びる壁下フレーム材が設けられ、
前記壁下フレーム材は、前記第１外壁面材の屋外側面に対向する対向部を有しており、
前記壁下フレーム材の前記対向部と前記第１外壁面材との間には、前記取付プレートの下端部が挿入される溝状の下側挿入部が形成されており、
前記取付プレートは、その上端部が前記上側挿入部に挿入され、かつ、その下端部が前記下側挿入部に挿入された状態で前記下地フレームに固定され、
前記下地フレームは、矩形枠状に形成され、上下に延びる一対の縦フレーム材を有しており、
前記壁上フレーム材及び前記壁下フレーム材はいずれも前記各縦フレーム材に架け渡されて設けられ、それら各縦フレーム材にそれぞれ固定されていることを特徴とする請求項４乃至６のいずれか一項に記載の庇部の取付構造。
【発明の詳細な説明】
【技術分野】
【０００１】
本発明は、庇部の取付構造に関する。
【背景技術】
【０００２】
住宅等の建物では、外壁部に設けられた窓部や出入口等の開口部の上方に庇部が設けられている場合がある（例えば特許文献１参照）。庇部は、外壁部から屋外側に張り出して設けられ、その外壁部に対して取り付けられている。外壁部は、外壁面材と、その裏面側に設けられた下地フレームとを有しており、庇部は例えばその下地フレームに取り付けられている。この場合、庇部の設置高さ範囲において外壁面材の一部が除去され、その除去された部分を通じて庇部が下地フレームにビス等を用いて取り付けられる。
【先行技術文献】
【特許文献】
【０００３】
【特許文献１】特開２０１６−１５３５６５号公報
【発明の概要】
【発明が解決しようとする課題】
【０００４】
ところで、雪が多く降る降雪地域では、屋根上に積もった雪が一気に滑り落ちて庇部の上に落下する場合が想定される。その場合、落雪の衝撃で庇部を下地フレームに取り付けているビス等が抜けたり破損したりすることが想定され、そうなると庇部が外壁部から脱落することが懸念される。また、庇部には、強風等によっても過大な荷重が加わることが想定され、その場合にも、同様に庇部の脱落が懸念される。
【０００５】
本発明は、上記事情に鑑みてなされたものであり、庇部の脱落を抑制することができる庇部の取付構造を提供することを主たる目的とするものである。
【課題を解決するための手段】
【０００６】
上記課題を解決すべく、第１の発明の庇部の取付構造は、外壁部に対して屋外側に張り出すように設けられた庇部と、その庇部と同じ高さ位置で前記外壁部の壁面に沿って設けられ、前記庇部を取り付ける取付部が設けられた取付プレートと、を備え、前記外壁部には、前記取付プレートの上端部が挿入される溝状の挿入部が設けられ、前記取付プレートは、その上端部が前記挿入部に挿入された状態で前記外壁部に固定されていることを特徴とする。
【０００７】
本発明によれば、外壁部の壁面に沿って取付プレートが設けられており、その取付プレートの取付部に庇部が取り付けられている。そして、取付プレートは、その上端部が外壁部に設けられた挿入部に挿入され、その挿入状態で外壁部に固定されている。この場合、落雪等で庇部に過大な荷重（衝撃）が加わったとしても、取付プレートが外壁部から脱落するのを抑制することができ、その結果、庇部が外壁部から脱落するのを抑制することができる。
【０００８】
第２の発明の庇部の取付構造は、第１の発明において、前記外壁部には、前記挿入部としての上側挿入部に加え、前記取付プレートの下端部が挿入される溝状の下側挿入部が設けられ、前記取付プレートは、その上端部が前記上側挿入部に挿入され、かつ、その下端部が前記下側挿入部に挿入された状態で前記外壁部に固定されていることを特徴とする。
【０００９】
本発明によれば、外壁部に取付プレートの上端部が挿入される上側挿入部に加え、取付プレートの下端部が挿入される下側挿入部が設けられている。そして、取付プレートが、その上端部及び下端部をそれぞれ上側挿入部及び下側挿入部に挿入させた状態で外壁部に固定されている。この場合、取付プレートの外壁部からの脱落をより一層抑制することができ、ひいては庇部の外壁部からの脱落をより一層抑制することができる。
【００１０】
第３の発明の庇部の取付構造は、第２の発明において、前記取付プレートは、前記外壁部の幅方向に所定の間隔で複数配置され、それら各取付プレートの前記取付部にそれぞれ前記庇部が取り付けられており、前記上側挿入部及び前記下側挿入部は前記外壁部の幅方向に延びる長尺状とされ、前記各取付プレートはいずれも前記上側挿入部及び前記下側挿入部に挿入された状態で前記外壁部に固定されていることを特徴とする。
【００１１】
本発明によれば、取付プレートが壁幅方向に隔てて複数設けられ、それら各取付プレートの取付部にそれぞれ庇部が取り付けられている。そして、こうした構成にあって、上側挿入部及び下側挿入部が壁幅方向に延びる長尺状とされ、上記各取付プレートがいずれも上側挿入部及び下側挿入部に挿入された状態で外壁部に固定されている。この場合、取付プレートを外壁部に取り付ける作業をする際、取付プレートを各挿入部に挿入した状態で壁幅方向にスライドさせながら所定の取付位置まで移動させることが可能となる。また、各取付プレートが共通の下側挿入部に挿入されているため、各取付プレートの高さ位置が自ずと同じ位置となり、その結果、取付作業に際して各取付プレートの高さ位置を合わせる作業を不要とすることができる。よって、この場合、取付プレートが複数設けられる構成にあって、取付プレートの外壁部に対する取付作業を容易とすることができる。
【００１２】
第４の発明の庇部の取付構造は、第１乃至第３のいずれかの発明において、前記外壁部は、外壁面材と、その外壁面材の裏面側に設けられた下地フレームとを有しており、前記外壁面材として、前記庇部と同じ高さ位置に配置された第１外壁面材を有しており、前記第１外壁面材の上側には、前記下地フレームに取り付けられた状態で壁上部材が設けられ、前記壁上部材は、前記第１外壁面材の屋外側面と対向する対向部を有しており、前記壁上部材の前記対向部と前記第１外壁面材との間には前記挿入部としての上側挿入部が形成され、前記取付プレートは、その上端部が前記上側挿入部に挿入された状態で前記第１外壁面材の屋外側面に重ねられて設けられ、かつ、固定具が前記取付プレート及び前記第１外壁面材を介して前記下地フレームに打ち込まれることで又はねじ込まれることで当該下地フレームに固定されていることを特徴とする。
【００１３】
ところで、外壁部の下地フレームに庇部を直接取り付ける従来の構成では、庇部が設置される設置高さ範囲においては外壁面材を設けることができない場合が想定される。そのため、庇部の設置高さ範囲において耐火性能が低下するおそれがある。その点本発明では、庇部と同じ高さ位置に第１外壁面材が設けられ、その第１外壁面材の屋外側面に取付プレートが重ねて設けられている。そして、その取付プレートが固定具により第１外壁面材を介して下地フレームに固定されている。この場合、耐火性能を確保しながら庇部を取付部に取り付けることが可能となる。また、このように、取付プレートが外壁面材を介して下地フレームに取り付けられる構成にあっても、取付プレートの上端部が壁上部材の対向部と第１外壁面材との間に形成された上側挿入部に挿入されているため、取付プレートの脱落を抑制することができ、ひいては庇部の脱落を抑制することができる。なお、外壁面材は、一般に耐火性能を有する材料により形成され、例えば窯業系サイディングボードにより形成される。
【００１４】
また、固定具は、壁上部材の対向部、取付プレート及び第１外壁面材を介して（貫通して）下地フレームに打ち込まれる又はねじ込まれるのが望ましい。そうすれば、取付プレートにおいて上側挿入部に挿入されている部分が対向部と第１外壁面材との間に挟まれた状態で強固に固定されるため、取付プレートの脱落をより一層抑制することができる。
【００１５】
第５の発明の庇部の取付構造は、第４の発明において、前記外壁部は、外壁面材として、前記第１外壁面材の上側に隣接して設けられる第２外壁面材を有しており、前記第１外壁面材と前記第２外壁面材との間には壁間隙間が形成されており、前記壁上部材は、前記外壁部の幅方向に延びる鋼材により形成され、前記対向部から前記壁間隙間を通じて前記第２外壁面材の裏面側まで延びる部分を有していることを特徴とする。
【００１６】
本発明によれば、壁上部材が壁幅方向に延びる長尺状の鋼材により形成されている。また、壁上部材は、対向部から上下に隣接する第１外壁面材及び第２外壁面材の間の壁間隙間を通じて第２外壁面材の裏面側まで延びる部分を有している。この場合、当該部分により壁間隙間が閉鎖された状態となっているため、上側挿入部を形成する壁上部材を用いて壁間隙間の耐火性能を向上させることができる。
【００１７】
第６の発明の庇部の取付構造は、第５の発明において、前記壁上部材は、前記第２外壁面材の裏面に配置され、当該第２外壁面材が固定される壁下地部を有することを特徴とする。
【００１８】
本発明によれば、壁上部材を第２外壁面材の固定下地としても利用できるため、壁上部材のさらなる有効利用を図ることができる。
【００１９】
第７の発明の庇部の取付構造は、第４乃至第６のいずれかの発明において、前記壁上部材は、前記外壁部の幅方向に延びる壁上フレーム材であり、前記第１外壁面材の下側には、前記外壁部の幅方向に延びる壁下フレーム材が設けられ、前記壁下フレーム材は、前記第１外壁面材の屋外側面に対向する対向部を有しており、前記壁下フレーム材の前記対向部と前記第１外壁面材との間には、前記取付プレートの下端部が挿入される溝状の下側挿入部が形成されており、前記取付プレートは、その上端部が前記上側挿入部に挿入され、かつ、その下端部が前記下側挿入部に挿入された状態で前記下地フレームに固定され、前記下地フレームは、矩形枠状に形成され、上下に延びる一対の縦フレーム材を有しており、前記壁上フレーム材及び前記壁下フレーム材はいずれも前記各縦フレーム材に架け渡されて設けられ、それら各縦フレーム材にそれぞれ固定されていることを特徴とする。
【００２０】
本発明によれば、壁幅方向に延びる壁上フレーム材及び壁下フレーム材が設けられ、それら各フレーム材により上側挿入部及び下側挿入部が形成されている。そして、取付プレートは、その上下両端部がそれぞれ各挿入部に挿入された状態で下地フレームに固定されている。これにより、第２の発明と同様の効果を得ることができる。また、取付プレートを複数設ければ、第３の発明と同様の効果を得ることができる。
【００２１】
壁上フレーム材及び壁下フレーム材はいずれも、下地フレームの各縦フレーム材に架け渡された状態で固定されている。この場合、壁上フレーム材及び壁下フレーム材を製造工場において予め下地フレームに組み付けておくことができるため、施工現場では下地フレームを設置することで壁上フレーム材及び壁下フレーム材をそれぞれ所定位置に配設することができる。これにより、現場での工数削減を図りつつ、上述した効果を得ることができる。
【図面の簡単な説明】
【００２２】
【図１】建物の概要を示す概要図。
【図２】庇部が取り付けられた外壁部を示す正面図。
【図３】外壁部を構成する外壁フレームを示す正面図。
【図４】外壁部に対する庇部の取付構造を示す斜視図。
【図５】庇部を外壁部に取り付けるための取付プレートを外壁部から取り外した状態を示す斜視図。
【図６】外壁部に対する庇部の取付構造を示す縦断面図。
【発明を実施するための形態】
【００２３】
以下に、本発明を具体化した一実施の形態について図面を参照しつつ説明する。本実施形態では、建物が降雪地域に設けられていることを想定しており、図１は、その建物の概要を示す概要図である。
【００２４】
図１に示すように、住宅等の建物１０は二階建てとされており、その屋根部１１が切妻式の屋根となっている。屋根部１１は、その上端となる棟１２を挟んだ両側に一対の傾斜屋根部１３を有している。これらの傾斜屋根部１３は、棟１２から軒先１４に向けて下方に傾斜して形成されている。各傾斜屋根部１３では、傾斜方向の下端側が外壁部１５よりも屋外側に張り出して軒部１６となっており、その軒部１６が軒先１４を含んでいる。
【００２５】
各傾斜屋根部１３のうち一方の傾斜屋根部１３ａには、その上にソーラパネル１７が設置されている。ソーラパネル１７は、太陽光が照射されることにより太陽光発電を行うものである。ソーラパネル１７は、傾斜屋根部１３ａ上においてその傾斜屋根部１３ａの傾斜に沿って設置されている。
【００２６】
傾斜屋根部１３ａの軒部１６の下方には、外壁部１５から張り出して庇部１８が設けられている。庇部１８は、軒部１６よりも屋外側に張り出して設けられている。また、庇部１８は、外壁部１５に設けられた玄関口１９の上方に配置されている。なお、玄関口１９には、玄関ドア２１（図２参照）が設けられている。
【００２７】
ここで、傾斜屋根部１３ａの軒下に庇部１８が設けられている上述の構成では、傾斜屋根部１３ａ上に雪が積もった場合に、その積もった雪が傾斜屋根部１３ａ上を一気に滑り落ちて庇部１８の上に落下するおそれがある。その場合、その落雪の衝撃で庇部１８が外壁部１５から脱落することが懸念される。そこで、本実施形態では、その点に鑑みて、外壁部１５に対する庇部１８の取付構造に特徴的な構成を設けている。以下においては、その特徴的な構成について説明する。
【００２８】
まず、庇部１８が取り付けられた外壁部１５の構成について図２及び図３を用いながら説明する。図２は、庇部１８が取り付けられた外壁部１５を示す正面図である。なお、図２では、一階部分における外壁部１５を示している。また、図３は、その外壁部１５を構成する外壁フレーム２３を示す正面図である。
【００２９】
図２及び図３に示すように、外壁部１５は、屋外面を形成する外壁面材２２と、その外壁面材２２の裏面側（屋内側）に設けられた外壁フレーム２３とを備えている。外壁面材２２は、耐火性能に優れた窯業系サイディングボードからなる。外壁面材２２は、横並びに複数配置され、それら各外壁面材２２がそれぞれ外壁フレーム２３にビス等で固定されている。なお、外壁フレーム２３が下地フレームに相当する。
【００３０】
外壁フレーム２３は、鋼材からなる複数のフレーム材が矩形枠状に連結されることで構成されている。外壁フレーム２３は、フレーム材として、上下方向に延びる一対の縦フレーム材２４と、それら各縦フレーム材２４に跨がって横向きに延びる複数の横フレーム材２５とを有する。外壁フレーム２３は、横並びに複数配置され、それら各外壁フレーム２３がそれぞれ建物躯体に固定されている。詳しくは、外壁フレーム２３のフレーム上端及びフレーム下端に配置された各横フレーム材２５がそれぞれ建物躯体を構成する上梁２９（図４参照）及び下梁（図示略）に固定されている。
【００３１】
複数の外壁フレーム２３には、玄関口１９を形成するための玄関フレーム２３ａが含まれている。玄関フレーム２３ａは、横フレーム材２５として、庇部１８と同じ高さ位置に配置された複数（具体的には４つ）の横フレーム材２５を有している。これらの横フレーム材２５はいずれも庇部１８の幅方向（壁幅方向と同方向）に延びており、詳しくは庇部１８の幅方向全域に亘って延びている。なお、以下においては、これらの横フレーム材２５を、他の横フレーム材２５と区別するため、横フレーム材３１〜３４という。
【００３２】
玄関フレーム２３ａは、玄関口１９を挟んだ両側に上下に延びる一対の縦フレーム材２８をさらに有している。これらの縦フレーム材２８は、各横フレーム材３１〜３４のうちで、最も下側に配置された横フレーム材３４と、玄関フレーム２３ａのフレーム下端に配置された横フレーム材２５とを上下に繋いでいる。
【００３３】
玄関フレーム２３ａの屋外側には、外壁面材２２が上下に並べて複数設けられている。これら複数の外壁面材２２には、玄関口１９を挟んだ両側に設けられた一対の外壁面材２２ａと、それら外壁面材２２ａの上側に隣接して設けられ庇部１８と同じ高さ位置に配置された外壁面材２２ｂと、その外壁面材２２ｂの上側に隣接して設けられた外壁面材２２ｃとが含まれている。
【００３４】
玄関フレーム２３ａには、庇部１８が取り付けられている。以下においては、かかる玄関フレーム２３ａ（ひいては外壁部１５）に対する庇部１８の取付構造について図４〜図６に基づいて説明する。なお、図４は、外壁部１５に対する庇部１８の取付構造を示す斜視図である。図５は、庇部１８を外壁部１５に取り付けるための取付プレート４１を外壁部１５から取り外した状態を示す斜視図である。図６は、外壁部１５に対する庇部１８の取付構造を示す縦断面図である。
【００３５】
図４〜図６に示すように、玄関フレーム２３ａには、上述したように、庇部１８の設置高さに配置された複数の横フレーム材３１〜３４が設けられている。これら横フレーム材３１〜３４には、上下に離間対向して配置された一対の横フレーム材３１，３２が含まれている。これら横フレーム材３１，３２はいずれも断面コ字状の溝形鋼からなり、互いの溝部を上下に向き合わせた状態で配置されている。なお、各横フレーム材３１，３２のうち、横フレーム材３１が上側、横フレーム材３２が下側に配置されている。また、各横フレーム材３１，３２はいずれも、壁厚み方向（換言すると屋内外方向）に対向する一対のフランジ部を有しており、以下においてはそれら各フランジ部のうち、屋外側に位置するフランジ部をフランジ部３１ａ，３２ａという。
【００３６】
各横フレーム材３１，３２の屋外側には、それら各横フレーム材３１，３２に跨がって外壁面材２２ｂが設けられている。外壁面材２２ｂは、各横フレーム材３１，３２のフランジ部３１ａ，３２ａにビス等の固定具により固定されている。外壁面材２２ｂは、その長さが庇部１８の幅（詳しくは壁幅方向の長さ）よりも大きくなっており、庇部１８の幅方向全域に亘って配設されている。なお、外壁面材２２ｂが第１外壁面材に相当する。
【００３７】
外壁面材２２ｂの上方には、外壁面材２２ｃが隣接して配置されている。外壁面材２２ｃは、玄関フレーム２３ａのフレーム上端に配置された横フレーム材２５にビス等で固定されている。また、各外壁面材２２ｂ，２２ｃの間には所定の隙間が形成されており、以下では、この隙間を壁間隙間３６という。なお、外壁面材２２ｃが第２外壁面材に相当する。
【００３８】
玄関フレーム２３ａの各横フレーム材３１〜３４のうち、上記横フレーム材３１，３２以外の各横フレーム材３３，３４は外壁面材２２ｂを挟んだ上下両側に配置されている。これら各横フレーム材３３，３４のうち、横フレーム材３３が外壁面材２２ｂの上側に配置され、横フレーム材３４が外壁面材２２ｂの下側に配置されている。なお、上側の横フレーム材３３が壁上部材及び壁上フレーム材に相当し、下側の横フレーム材３４が壁下部材及び壁下フレーム材に相当する。
【００３９】
上側の横フレーム材３３は、壁間隙間３６を通じて壁厚み方向（屋内外方向）に延びる横板部３３ａと、横板部３３ａの屋外側の端部から下方に延びて外壁面材２２ｂの屋外側面と対向する対向板部３３ｂと、横板部３３ａの屋内側の端部から上方に延びて外壁面材２２ｃの裏面に重ねられる重ね板部３３ｃと、重ね板部３３ｃの上端部から外壁面材２２ｃとは反対側（つまり屋内側）に延びるフランジ板部３３ｄとを有する。
【００４０】
対向板部３３ｂと外壁面材２２ｂとの間には所定の隙間３８が形成されている。この隙間３８は、下方に開口された溝状をなしており、横フレーム材３３の長手方向全域に亘って形成されている。なお、対向板部３３ｂが対向部に相当する。
【００４１】
重ね板部３３ｃには、外壁面材２２ｃがビス等で固定されている。この場合、外壁面材２２ｃは、この重ね板部３３ｃと、その上方に設けられた（玄関フレーム２３ａ上端の）横フレーム材２５とに跨がって設けられ、それら両者２５，３３ｃにそれぞれ固定されている。なお、重ね板部３３ｃが壁下地部に相当する。また、重ね板部３３ｃは、その上端部に設けられたフランジ板部３３ｄにより補強されている。この場合、重ね板部３３ｃに外壁面材２２ｃをビス等で固定する際、重ね板部３３ｃが屋外側に倒れるのが抑制されている。また、重ね板部３３ｃとフランジ板部３３ｄとは、長手方向の両端部において各縦フレーム材２４にそれぞれ固定されている。なお、横板部３３ａと対向板部３３ｂとは各縦フレーム材２４よりも屋外側に位置しており、それら各縦フレーム材２４に固定されていない。
【００４２】
上記のように、横フレーム材３３には、対向板部３３ｂから壁間隙間３６を通じて屋内側に延びる横板部３３ａと、その横板部３３ａから上方に延び外壁面材２２ｃの裏面側に配置される重ね板部３３ｃとが設けられている。このため、これら各板部３３ａ〜３３ｃにより壁間隙間３６が閉鎖された状態となっている。
【００４３】
下側の横フレーム材３４は、その断面がＬ字状をなしており、横フレーム材３２の下面に重ねられる横板部３４ａと、その横板部３４ａの屋外側の端部から上方に延び外壁面材２２ｂの屋外側面に対向する対向板部３４ｂとを有する。横板部３４ａは、その長手方向の両端部において各縦フレーム材２４にそれぞれ固定されている。なお、本実施形態では、横板部３４ａが横フレーム材３２の下面に固定されていないが、横板部３４ａを横フレーム材３２の下面に固定するようにしてもよい。また、対向板部３４ｂが対向部に相当する。
【００４４】
対向板部３４ｂと外壁面材２２ｂとの間には、所定の隙間３９が形成されている。この隙間３９は、上方に開口された溝状をなしており、横フレーム材３４の長手方向全域に亘って形成されている。また、対向板部３４ｂは、横フレーム材３３の対向板部３３ｂと壁厚み方向の位置が同じとされている。そのため、上記の隙間３９と、対向板部３３ｂと外壁面材２２ｂとの間の隙間３８とは、いずれもその幅（隙間幅）が同じとされている。なお、以下においては、隙間３８を上側隙間３８といい、隙間３９を下側隙間３９という。また、隙間３８が上側挿入部に相当し、隙間３９が下側挿入部に相当する。
【００４５】
外壁面材２２ｂの屋外側面には、取付プレート４１が重ねて設けられている。取付プレート４１は、矩形平板状の鋼板からなり、その厚みが上側隙間３８及び下側隙間３９の幅と同じとされている。取付プレート４１は、壁幅方向に所定の間隔で複数（具体的には２つ）配置され、その上端部が上側隙間３８に挿入され、かつ、その下端部が下側隙間３９に挿入されている。そして、取付プレート４１は、かかる挿入状態で、ビス４２により外壁面材２２ｂを介して玄関フレーム２３ａに固定されている。なお、この場合、ビス４２が固定具に相当する。また、固定具としては必ずしもビス４２を用いる必要はなく、ボルト等他の固定具を用いてもよい。
【００４６】
ビス４２は、取付プレート４１の上端部及び下端部にそれぞれ壁幅方向に沿って所定の間隔（等間隔）で複数ずつ（具体的には３つずつ）配置されている。ビス４２による取付プレート４１の固定に関し詳しくは、取付プレート４１の上端部及び下端部にはそれぞれビス４２を挿通するための孔部４４が所定の間隔で複数ずつ（具体的には３つずつ）設けられている。また、各横フレーム材３３，３４の対向板部３３ｂ，３４ｂにはそれぞれ、各孔部４４と対応する位置に、ビス４２を挿通するための孔部４５，４６が複数ずつ（具体的には３つずつ）設けられている。そして、ビス４２は、横フレーム材３３（対向板部３３ｂ）の孔部４５と取付プレート４１の孔部４４とにそれぞれ屋外側から挿通されるとともに、外壁面材２２ｂを貫通して横フレーム材３１のフランジ部３１ａに打ち付けられている。また、ビス４２は、横フレーム材３４（対向板部３４ｂ）の孔部４６と取付プレート４１の孔部４４とにそれぞれ屋外側から挿通されるとともに、外壁面材２２ｂを貫通して横フレーム材３２のフランジ部３２ａに打ち付けられている。これにより、取付プレート４１は、それら複数のビス４２により、外壁面材２２ｂとともに各横フレーム材３１，３２に固定されている。
【００４７】
ちなみに、かかる取付プレート４１の固定状態では、各取付プレート４１の下端部がいずれも同じ下側隙間３９に挿入され、その挿入状態で横フレーム材３４の横板部３４ａ（換言すると、溝状をなす下側挿入部の溝底部）上に載置されている。これにより、各取付プレート４１はいずれも同じ高さ位置に配置されている。
【００４８】
また、取付プレート４１を現場で玄関フレーム２３ａ（各横フレーム材３１，３２）に取り付けるにあたっては、取付プレート４１の上下の端部を上側隙間３８及び下側隙間３９にそれら両隙間３８，３９の端部から挿入し、その挿入状態で取付プレート４１を壁幅方向に沿って所定の取付位置までスライド移動させる。そして、取付位置まで移動させたら、取付プレート４１をビス４２により各横フレーム材３１，３２に固定する。なお、玄関フレーム２３ａは予め製造工場において製造されるものとなっている。
【００４９】
取付プレート４１の屋外側面には、庇部１８が取り付けられる庇取付部４８が固定されている。庇取付部４８は、断面コ字状の鋼板からなり、ウェブ４８ａと、そのウェブ４８ａを挟んだ両側に設けられる一対のフランジ部４８ｂとを有する。庇取付部４８は、その溝部が上下に延びる向きで配置され、その配置状態で各フランジ部４８ｂの先端部が取付プレート４１の屋外側面に溶接により固定されている。ウェブ４８ａは、取付プレート４１から離間した位置に配置され、そのウェブ４８ａには上下に所定の間隔をおいて複数（具体的には２つ）の孔部５１が形成されている。また、ウェブ４８ａの裏面には、それら各孔部５１に対応する位置にそれぞれナット５２が溶接により固定されている。なお、庇取付部４８が取付部に相当する。
【００５０】
各取付プレート４１の庇取付部４８にはそれぞれ庇部１８が取り付けられている。庇部１８は、その幅方向（換言すると壁幅方向）に所定の間隔で設けられた一対の支持アーム５４と、それら支持アーム５４に取り付けられた外装材５５（図６の二点鎖線参照）とを備えている。支持アーム５４は、庇部１８の張出方向（換言すると壁厚み方向）に延びる断面コ字状の溝形鋼からなり、その溝部を側方に向けて配設されている。支持アーム５４の基端部（外壁部１５側の端部）には固定プレート５７が溶接により固定されている。固定プレート５７は、平板状の鋼板からなり、庇取付部４８のウェブ４８ａにボルト５８により固定されている。詳しくは、固定プレート５７には、ウェブ４８ａの各孔部５１に対応して上下一対の孔部５７ａが形成されている。そして、固定プレート５７の孔部５７ａとウェブ４８ａの孔部５１とを介してボルト５８がナット５２に締結されている。これにより、固定プレート５７ひいては支持アーム５４が庇取付部４８に固定されている。
【００５１】
外装材５５は、庇部１８の外面を形成するもので、天板、底板及び側板等を含んで構成されている。外装材５５は、各支持アーム５４に下地材等を介して取り付けられている。
【００５２】
上記のように、庇部１８（詳しくは支持アーム５４）は、各取付プレート４１の庇取付部４８に対して取り付けられている。そして、かかる庇部１８の取付状態において、各横フレーム材３３，３４の対向板部３３ｂ，３４ｂは庇部１８（外装材５５）により屋外側から覆い隠されている。詳しくは、各対向板部３３ｂ，３４ｂ全体が庇部１８により覆い隠された状態となっている。これにより、各対向板部３３ｂ，３４ｂにより上側隙間３８及び下側隙間３９を形成した上述の構成にあって、それら各対向板部３３ｂ，３４ｂにより外観が損なわれることが防止されている。
【００５３】
以上、詳述した本実施形態の構成によれば、以下の優れた効果が得られる。
【００５４】
外壁部１５の壁面に沿って取付プレート４１を設け、その取付プレート４１の庇取付部４８に庇部１８を取り付けた。この場合、取付プレート４１については、その上端部を外壁部１５に設けた上側隙間３８に挿入し、その挿入状態で外壁部１５に固定した。これにより、庇部１８上への落雪により庇部１８に過大な荷重（衝撃）が加わったとしても、取付プレート４１が外壁部１５から脱落するのを抑制することができ、その結果、庇部１８が外壁部１５から脱落するのを抑制することができる。
【００５５】
また、庇部１８上に荷重が加わる際には、取付プレート４１が屋外側に傾倒しようとするため、取付プレート４１の上端部を上側隙間３８に挿入した状態で当該取付プレート４１を外壁部１５に固定することは取付プレート４１の脱落を抑制する上でとりわけ有効となる。
【００５６】
具体的には、取付プレート４１について、その上端部を上側隙間３８に挿入することに加え、その下端部を外壁部１５に設けた下側隙間３９に挿入し、その挿入状態で取付プレート４１を外壁部１５に固定した。この場合、取付プレート４１の外壁部１５からの脱落をより一層抑制することができ、その結果、庇部１８の外壁部１５からの脱落をより一層抑制することができる。
【００５７】
また、取付プレート４１を各隙間３８，３９に挿入した状態で外壁部１５に固定したことで、取付プレート４１を外壁部１５に固定しているビス４２が仮に落雪の衝撃で破損したりしても、取付プレート４１が外壁部１５から脱落するのを抑制することができる。
【００５８】
さらに、取付プレート４１を外壁部１５に固定するビス４２の本数を増やすことで、取付プレート４１の脱落を抑制することも考えられるが、上記の構成によれば、ビス４２の本数を増やすことなく庇部１８の脱落を抑制することができる。
【００５９】
取付プレート４１を壁幅方向（外壁部１５の幅方向）に所定の間隔で複数設け、それら各取付プレート４１の庇取付部４８にそれぞれ庇部１８を取り付けた。そして、このような構成にあって、上側隙間３８及び下側隙間３９をそれぞれ壁幅方向に延びる長尺状とし、そして、各取付プレート４１をそれぞれ各隙間３８，３９に挿入した状態で外壁部１５に固定した。この場合、取付プレート４１を外壁部１５に取り付ける作業を行う際、取付プレート４１を各隙間３８，３９に挿入した状態で壁幅方向に沿って所定の取付位置までスライド移動させることが可能となる。また、各取付プレート４１が同じ下側隙間３９に挿入されているため、各取付プレート４１の高さ位置が自ずと同じ高さ位置となり、その結果、取付作業に際し各取付プレート４１の高さ位置を合わせる作業を不要とすることができる。よって、この場合、取付プレート４１が複数設けられる構成にあって、取付プレート４１の外壁部１５に対する取付作業を容易とすることができる。
【００６０】
また、上記の構成では、各取付プレート４１の取付位置を壁幅方向に変えることができるため、各取付プレート４１の間隔を自由に設定することができる。そのため、庇部１８の種類（大きさ等）に応じて、各支持アーム５４の間隔を変えたい場合にその対応が容易となる。
【００６１】
ところで、外壁部１５の外壁フレーム２３に庇部１８を直接取り付ける従来の構成では、庇部１８が設置される設置高さ範囲においては外壁面材２２を設けることができない場合が想定される。その場合、庇部１８の設置高さ範囲において耐火性能が低下するおそれがある。その点、上記の実施形態では、庇部１８と同じ高さ位置に外壁面材２２ｂを設け、その外壁面材２２ｂの屋外側面に取付プレート４１を設け、その取付プレート４１をビス４２により外壁面材２２ｂを介して玄関フレーム２３ａに固定した。そのため、耐火性能を確保しながら、庇部１８を庇取付部４８に取り付けることが可能となる。また、このように、取付プレート４１を外壁面材２２ｂを介して玄関フレーム２３ａに固定した構成にあっても、取付プレート４１の上端部を横フレーム材３３の対向板部３３ｂと外壁面材２２ｂとの間の上側隙間３８に挿入したため、取付プレート４１の脱落ひいては庇部１８の脱落を抑制することができる。
【００６２】
ビス４２を、横フレーム材３３の対向板部３３ｂと取付プレート４１と外壁面材２２ｂとを介して玄関フレーム２３ａの横フレーム材３１に打ち込んだ。また、ビス４２を、横フレーム材３４の対向板部３４ｂと取付プレート４１と外壁面材２２ｂとを介して玄関フレーム２３ａの横フレーム材３２に打ち込んだ。これにより、取付プレート４１において各隙間３８，３９に挿入されている部分がそれぞれ対向板部３３ｂ，３４ｂと外壁面材２２ｂとの間に挟まれた状態で強固に固定されるため、取付プレート４１の脱落をより一層抑制することができる。
【００６３】
横フレーム材３３に、対向板部３３ｂから上下に隣接する外壁面材２２ｂ，２２ｃの間の壁間隙間３６を通じて外壁面材２２ｃの裏面側まで延びる部分（具体的には、横板部３３ａ及び重ね板部３３ｃからなる部分）を設けた。この場合、当該部分により壁間隙間３６を閉鎖することができるため、上側隙間３８を形成する横フレーム材３３を用いて壁間隙間３６の耐火性能を向上させることができる。
【００６４】
横フレーム材３３に、外壁面材２２ｃの裏面に重ねられ当該外壁面材２２ｃが固定される重ね板部３３ｃを設けたため、横フレーム材３３を外壁面材２２ｃの固定下地としても利用でき、横フレーム材３３のさらなる有効利用を図ることができる。
【００６５】
矩形枠状の玄関フレーム２３ａにおいて上下に延びる一対の縦フレーム材２４に、各隙間３８，３９を形成する横フレーム材３３，３４をそれぞれ架け渡して固定した。この場合、各横フレーム材３３，３４を製造工場において玄関フレーム２３ａに予め一体化させておくことができるため、施工現場では玄関フレーム２３ａを設置することで各横フレーム材３３，３４をそれぞれ所定位置に配設することができる。そのため、施工現場での工数削減を図りながら、横フレーム材３３，３４による上述の各効果を得ることができる。
【００６６】
本発明は上記実施形態に限らず、例えば次のように実施されてもよい。
【００６７】
（１）上記実施形態では、外壁面材２２ｂを挟んだ上下両側にそれぞれ横フレーム材３３，３４を設けたが、それら各横フレーム材３３，３４のうち、下側の横フレーム材３４を不具備とし、上側の横フレーム材３３のみ設けるようにしてもよい。この場合、上側隙間３８及び下側隙間３９のうち、上側隙間３８のみ形成されることになる。かかる構成においても、取付プレート４１の上端部を上側隙間３８に挿入した状態で取付プレート４１を外壁部１５に固定することで、取付プレート４１の外壁部１５からの脱落を抑制することができ、その結果、庇部１８の外壁部１５からの脱落を抑制することができる。
【００６８】
（２）上記実施形態では、庇部１８と同じ高さ位置に外壁面材２２ｂを設けたが、この外壁面材２２ｂを設けないようにしてもよい。この場合、例えば横フレーム材３３の対向板部３３ｂと横フレーム材３１（詳しくはフランジ部３１ａ）との間の隙間（上側挿入部に相当）と、横フレーム材３４の対向板部３４ｂと横フレーム材３２（詳しくはフランジ部３２ａ）との間の隙間（下側挿入部に相当）とをそれぞれ取付プレート４１の厚みと同じにすることが考えられる。そして、取付プレート４１の上下両端部をそれぞれ上記各隙間に挿入し、その挿入状態で取付プレート４１を各横フレーム材３１，３２に固定することが考えられる。但し、耐火性能を確保する上では、上記実施形態のように、外壁面材２２ｂを設けるのが望ましい。
【００６９】
（３）上記実施形態では、長尺状の横フレーム材３３，３４を用いて上側隙間３８及び下側隙間３９（上側挿入部及び下側挿入部）を形成したが、これを変更して、短尺状の部材を用いてこれらの隙間（上側挿入部及び下側挿入部）を形成してもよい。例えば、玄関フレーム２３ａに、上側の横フレーム材３３に代えて、当該横フレーム材３３と同じ断面形状を有する短尺部材を設けることが考えられる。この場合、その短尺部材を壁幅方向において各取付プレート４１の配置位置にのみ設け、例えば横フレーム材３１に固定することが考えられる。なお、この場合、その短尺部材が壁上部材に相当する。
【００７０】
また、これと同様に、玄関フレーム２３ａに、下側の横フレーム材３４に代えて、当該横フレーム材３４と同じ断面形状を有する短尺部材を設けるようにしてもよい。この場合も、その短尺部材を壁幅方向において各取付プレート４１の配置位置にのみ設け、例えば横フレーム材３２に固定することが考えられる。なお、この場合、その短尺部材が壁下部材に相当する。
【００７１】
（４）上記実施形態では、（取付プレート４１の上端部が挿入される）上側挿入部を横フレーム材３３の対向板部３３ｂと外壁面材２２ｂとの間の上側隙間３８により形成したが、上側挿入部は必ずしもかかる隙間３８により形成する必要はない。例えば、横フレーム材３３が対向板部３３ｂを有しない構成とし、その代わりに横フレーム材３３の横板部３３ａの下面に断面コ字状の鋼板からなる挿入部材を設けることが考えられる。この場合、その挿入部材を横フレーム材３３の長手方向に延びる長尺状とし、その溝部を下方に向けた状態で横板部３３ａの下面に固定する。そして、その挿入部材の溝部に取付プレート４１の上端部を挿入することが考えられる。なお、この場合、挿入部材の溝部が上側挿入部に相当する。
【００７２】
また、これと同様に、下側挿入部についても下側隙間３９により形成することに代え、挿入部材の溝部により形成するようにしてもよい。
【００７３】
（５）上記実施形態では、取付プレート４１を２つ設けたが、取付プレート４１を３つ以上設けてもよい。要するに、取付プレート４１の個数は、庇部１８の各支持アーム５４の本数に応じて適宜調整すればよい。
【００７４】
また、取付プレート４１を１つだけ設けるようにしてもよい。例えば、庇部１８の幅方向に延びる一の取付プレート４１を設けることが考えられる。この場合、その取付プレート４１に、長手方向に沿って所定間隔で複数の庇取付部４８を設け、それら各庇取付部４８にそれぞれ支持アーム５４を固定することが考えられる。
【００７５】
なお、取付プレート４１の庇取付部４８には必ずしも、支持アーム５４を固定する必要はなく、庇部１８における支持アーム５４以外の部材を固定してもよい。例えば、庇部１８に、各支持アーム５４間において庇部１８の幅方向に延びるアーム部材を別途設け、そのアーム部材を庇取付部４８に固定するようにしてもよい。
【００７６】
（６）上記実施形態では、取付プレート４１の庇取付部４８（取付部に相当）に支持アーム５４（詳しくは固定プレート５７）を固定したが、取付プレート４１に庇取付部４８を設けず、支持アーム５４を取付プレート４１に直接固定してもよい。その場合、取付プレート４１において支持アーム５４が固定される（取り付けられる）部位が「取付部」に相当することになる。
【００７７】
（７）上記実施形態では、ビス４２（固定具に相当）を取付プレート４１及び外壁面材２２ｂを介して横フレーム材３１，３２に打ち込むことで、取付プレート４１を各横フレーム材３１，３２に固定したが、取付プレート４１を固定するにあたりビス４２以外の固定具を用いてもよい。例えば、固定具としてボルトやタッピングねじを用いてもよい。その場合、固定具を取付プレート４１及び外壁面材２２ｂを介して各横フレーム材３１，３２（詳しくは横フレーム材３１，３２のねじ孔）にねじ込むことで取付プレート４１を各横フレーム材３１，３２に固定することになる。
【符号の説明】
【００７８】
１０…建物、１５…外壁部、１８…庇部、２２…外壁面材、２２ｂ…第１外壁面材としての外壁面材、２２ｃ…第２外壁面材としての外壁面材、２３…外壁フレーム、２３ａ…玄関フレーム、３３…壁上部材及び壁上フレーム材としての横フレーム材、３３ｂ…対向部としての対向板部、３３ｃ…壁下地部としての重ね板部、３４…壁下フレーム材としての横フレーム材、３４ｂ…対向部としての対向板部、３６…壁間隙間、３８…上側挿入部としての上側隙間、３９…下側挿入部としての下側隙間、４１…取付プレート、４２…固定具としてのビス、４８…取付部としての庇取付部。
【図１】
2019002182.tif 000003
【図２】
2019002182.tif 000004
【図３】
2019002182.tif 000005
【図４】
2019002182.tif 000006
【図５】
2019002182.tif 000007
【図６】
2019002182.tif 000008